(57)【特許請求の範囲】
【請求項１】
前面側熱交換器および背面側熱交換器が逆Ｖ字型に配置された熱交換器と、
前記前面側熱交換器と前記背面側熱交換器の間に配置された貫流ファンと、
前記前面側熱交換器と前記貫流ファンとの隙間に下方から上方へと延びるフロントノーズと、
前記背面側熱交換器と前記貫流ファンとの隙間に下方から上方へと延びるバックノーズと、
前記バックノーズから前記背面側熱交換器に向かって、送風方向に沿って立設されるリブと、
該リブの下端部を貫通する排水孔と、
を筺体内に備え、
断面視して、前記バックノーズの先端は、前記背面側熱交換器の断面視における長手方向の寸法の１／２を超える位置まで伸び、
前記熱交換器は、該バックノーズとの間隔が、前後方向に関して、該バックノーズの先端側との間隔よりも、該バックノーズの基端側との間隔の方が広くなるように配置された
ことを特徴とする空気調和機の室内機。
【請求項２】
請求項１に記載の空気調和機の室内機において、
前記前面側熱交換器の前面側フィンの間隔が、
前記背面側熱交換器の背面側フィンの間隔よりも狭く設定されたことを特徴とする空気調和機の室内機。
【請求項３】
請求項１、または請求項２に記載の空気調和機の室内機において、
前記前面側熱交換器の前面側パイプの通風方向の本数が、
前記背面側熱交換器の背面側パイプの通風方向の本数よりも多く設定されたことを特徴とする空気調和機の室内機。
【請求項４】
請求項１〜請求項３のいずれか１項に記載の空気調和機の室内機において、
前記バックノーズの先端よりも前記長手方向の上方に位置する前記背面側熱交換器の部位における背面側パイプの通風方向の本数が、
該バックノーズの先端よりも該長手方向の下方に位置する該背面側熱交換器の部位における該背面側パイプの通風方向の本数よりも多く設定されたことを特徴とする空気調和機の室内機。
【請求項５】
請求項１〜請求項３のいずれか１項に記載の空気調和機の室内機において、
前記バックノーズの先端よりも前記長手方向の上方に位置する前記背面側熱交換器の部位における背面側パイプの前記長手方向の間隔が、
該バックノーズの先端よりも該長手方向の下方に位置する該背面側熱交換器の部位における該背面側パイプの該長手方向の間隔よりも狭く設定されたことを特徴とする空気調和機の室内機。
【発明の詳細な説明】
【技術分野】
【０００１】
本発明は、空調を行う空気調和機を構成する室内機に関する。
【背景技術】
【０００２】
従来、空気調和機を構成する壁掛け式の室内機では、限られたスペースの中で室内熱交換器の伝熱面積を拡大して、伝熱性能を向上するために、室内熱交換器を、略Ｌ字形状を有する熱交換フィンが積層された前面側熱交換器と、略長方形の熱交換フィンが積層された背面側熱交換器とを組み合わせて、略Ｕ字形状に形成し、室内熱交換器のＵ字形状内に貫流ファンを配置することが行われている。
たとえば、特許文献１では、略Ｕ字形状の室内熱交換器の内側に貫流ファンを配置した上で、前面側熱交換器の下部に位置するフィンの上流縁と下流縁を空気流れ方向の上流側から下流側に向けてそれぞれ湾曲させている。そして、このようなフィン形状とすることで、空気流入部面積（前面面積）を拡大して、前面側熱交換器に流入する空気の流速（前面風速）を抑制し、通風抵抗を低減することで、ファン動力を削減し、省エネ性を向上させている。
【先行技術文献】
【特許文献】
【０００３】
【特許文献１】特開２０１５−５５３７１号公報
【発明の概要】
【発明が解決しようとする課題】
【０００４】
ところで、背面側熱交換器は、室内機を設置する壁面に近接することなどから、前面側熱交換器よりも制約が厳しく、前面側熱交換器と比較して、伝熱性能が十分に発揮されていないという問題がある。
そこで、本発明は、背面側熱交換器が本来持っている伝熱性能を発揮させることができる空気調和機の室内機を提供することを目的とする。
【課題を解決するための手段】
【０００５】
上記課題を解決するために、本発明は、前面側熱交換器および背面側熱交換器が逆Ｖ字型に配置された熱交換器と、前記前面側熱交換器と前記背面側熱交換器の間に配置された貫流ファンと、前記前面側熱交換器と前記貫流ファンとの隙間に下方から上方へと延びるフロントノーズと、前記背面側熱交換器と前記貫流ファンとの隙間に下方から上方へと延びるバックノーズと、前記バックノーズから前記背面側熱交換器に向かって、送風方向に沿って立設されるリブと、該リブの下端部を貫通する排水孔と、を筺体内に備え、断面視して、前記バックノーズの先端は、前記背面側熱交換器の断面視における長手方向の寸法の１／２を超える位置まで伸び、前記熱交換器は、該バックノーズとの間隔が、前後方向に関して、該バックノーズの先端側との間隔よりも、該バックノーズの基端側との間隔の方が広くなるように配置されたことを特徴とする。
【発明の効果】
【０００６】
本発明によると、背面側熱交換器が本来持っている伝熱性能を発揮させることができる空気調和機の室内機を提供することができる。
【図面の簡単な説明】
【０００７】
【図１】空気調和機を構成する室内機の斜視図である。
【図２】第１実施例の冷房運転時における室内機を示す断面図である。
【図３】背面側熱交換器の構造を示す斜視図である。
【図４】第２実施例の冷房運転時における室内機を示す断面図である。
【図５】第３実施例の冷房運転時における室内機を示す断面図である。
【図６】第４実施例の冷房運転時における室内機を示す断面図である。
【発明を実施するための形態】
【０００８】
以下、本発明を実施するための第１実施例について、図面を用いて説明する。まず、空気調和機の全体構成について図１〜図３を用いて説明する。図１は、本実施例に係る空気調和機が備える室内機の斜視図、図２は、室内機の冷房運転時における縦断面図、図３は、熱交換器の構造を示す斜視図である。
【０００９】
空気調和機は、室内を快適な温度や湿度に調整するもので、室内に設置される室内機１（図１参照）と、室外に設置される室外機（図示せず）と、空気調和機の運転モードを設定するリモコン（図示せず）と、室内機１と室外機とを繋ぐ接続配管（図示せず）とを備えている。
【００１０】
室外機は、図示しない圧縮機、室外ファン、室外熱交換器等を備える。室外機の圧縮機と室外熱交換器は、接続配管によって、後述する室内機１の室内熱交換器１１と接続され、冷媒を循環させることにより冷凍サイクルを構成する。
【００１１】
室内機１は、図１、図２に示すように、壁面上の天井付近に設置される壁掛型室内機である。なお、図１、図２は、冷房運転状態を示している。また、室内機１は、図２において、左側が室内に臨む前面、右側が壁に接する背面、上側が天井に面する上面、下側が床に面する下面となるように、壁面上に取付けられる。
また、室内機１は、図２に示すように、箱状の筐体１ａに、室内空気を内部に取込む吸込口Ｈ１と、空調空気を室内に送風する送風口Ｈ２とが開口している。また、室内機１は、筐体１ａ内に、室内熱交換器１１と、室内送風機２１と、前面側構造部３１と、背面側構造部４１と、左右風向板（図示せず）と、上下風向板５１とを備えている。そして、室内空気は、室内送風機２１によって、吸込口Ｈ１から室内機１内に吸込まれ、室内熱交換器１１を通過する際に、温度と湿度を調整されて、空調空気となり、送風口Ｈ２から室内に送風される。
【００１２】
吸込口Ｈ１は、筐体１ａの上部に開口する上側吸込口Ｈ１ａと、筐体１ａの前面に開口する前側吸込口Ｈ１ｂとで構成されている。また、上側吸込口Ｈ１ａと前側吸込口Ｈ１ｂには、エアフィルタ５２がそれぞれ設置されている。そして、エアフィルタ５２によって、室内機１に吸込まれる室内空気中の塵埃が取除かれる。また、前側吸込口Ｈ１ｂには、前面パネル５３が設置されている。
前面パネル５３は、その下端部を中心にして上端側が揺動するように構成されている。そして、前面パネル５３は、空気調和機の運転停止時には前側吸込口Ｈ１ｂを閉止し、運転時には前側吸込口Ｈ１ｂを開くように制御される。これにより、室内機１の美観を保ちつつ、吸込口Ｈ１の開口面積を広め、室内空気の吸込抵抗を低減している。
室内熱交換器１１は、断面略Ｕ字形状を有し、Ｕ字の底部が前側上方に、Ｕ字の開口部分が後側下方にそれぞれ位置するように、筐体１ａ内に幅方向に沿って設置されている。
なお、室内熱交換器１１の構成、詳細については、後述する。
【００１３】
室内送風機２１は、室内熱交換器１１に囲まれるように、室内熱交換器１１のＵ字形状内部に配置されている。室内送風機２１は、回転方向に湾曲した同一形状を有する複数の羽根２４が、周方向へ等間隔に配置された、円筒状の貫流ファンによって構成されている。また、室内送風機２１は、フロントノーズ２２とバックノーズ２３との間に、軸周りに回転自在に配置されている。
フロントノーズ２２は、筐体１ａを構成する前面側構造部３１と一体に突設されている。また、フロントノーズ２２は、室内送風機２１外周における前面側の設定された範囲を覆うように、近接配置されている。
バックノーズ２３は、筐体１ａを構成する背面側構造部４１と一体に突設されている。また、バックノーズ２３は、室内送風機２１外周における背面側の設定された範囲を覆うように、近接配置されている。つまり、バックノーズ２３は、フロントノーズ２２の背面側にフロントノーズ２２と対向しつつ、筐体１ａ内に突設されている。
つまり、室内送風機２１は、前面側熱交換器１１Ｆと背面側熱交換器１１Ｒの間に配置され、フロントノーズ２２は、前面側熱交換器１１Ｆと室内送風機２１との隙間に下方から上方に延び、バックノーズ２３は、背面側熱交換器１１Ｒと室内送風機２１との隙間に下方から上方に延びている。
室内送風機２１は、上記構成によって、回転軸周りに回転することで、室内送風機２１の上方（吸込口側）から空気を吸込み、吸込んだ空気を下方（送風口側）へ送風する。
なお、筐体１ａにおける室内送風機２１の下流側の部位には、フロントノーズ２２の背面から続く、前面側構造部３１の下面と、バックノーズ２３の前面から続く、背面側構造部４１の前面とによって、送風口Ｈ２に通じる送風路５３が形成されている。
送風口Ｈ２は、筐体１ａの下面部分に、送風路５３の送風方向に対して斜めに横切るように開口し、送風口Ｈ２を通じて、空調空気が室内に送風される。
【００１４】
左右風向板（図示せず）は、例えば、同一形状を有する複数の平板からなり、送風路５３内を幅方向に等間隔に、且つ送風路５３を上下方向に縦断しつつ、左右方向に揺動可能に設置されている。
上下風向板５１は、運転停止状態で、送風口Ｈ２を閉止可能な一枚の板状部材からなり、左右風向板よりも下流側に位置する送風口Ｈ２を、水平方向（左右の幅方向）に沿って横切りつつ、上下方向に揺動可能に設置されている。また、上下風向板５１は、その下面１９ａが、運転停止状態で、筐体１ａ底部の外形形状を構成している。
【００１５】
室内熱交換器１１は、図２に示すように、前面側熱交換器１１Ｆと、背面側熱交換器１１Ｒとで構成され、Ｌ字形状の前面側フィン１２Ｆ（熱交換フィン）を積層した前面側熱交換器１１Ｆと、略長方形の背面側フィン１２Ｒ（熱交換フィン）を積層した背面側熱交換器１１Ｒを組合わせることで略Ｕ字形状に形成されている。
【００１６】
前面側熱交換器１１Ｆの前面側フィン１２Ｆは、伝熱面積の拡大と、前面面積の拡大のため、Ｌ字形状に形成されている。前面側熱交換器１１Ｆは、冷房運転時に、前面側フィン１２Ｆ上で凝縮した水が、必ず前面側フィン１２Ｆに沿って流れる角度で、筐体１ａ内に設置されている。前面側熱交換器１１Ｆは、その下端が前面側構造部３１に設けられた支持溝３２内に緩衝材（図示せず）を介して配置されている。
【００１７】
緩衝材は、熱交換器のフィンの破損を抑制するとともに、熱交換せずに室内熱交換器１１をバイパスする空気の通過を抑制する。
支持溝３２は、前面側熱交換器１１Ｆの排水溝を兼ねており、前面側フィン１２Ｆ上で凝縮した水は、支持溝３２を通じて、室外へ排出される。
【００１８】
背面側熱交換器１１Ｒの背面側フィン１２Ｒは、長方形の薄片の上端側を前方に傾けて筐体１ａ内に組付けられた状態で、上端となる角部が水平に切り落とされ、背面端となる角部が垂直に切り落とされた形状を備えている。背面側熱交換器１１Ｒは、前面側熱交換器１１Ｆと同様に、冷房運転時に、背面側フィン１２Ｒ上で凝縮した水が、必ず背面側フィン１２Ｒに沿って排水される角度で、筐体１ａ内に設置されている。
背面側熱交換器１１Ｒは、図３に示すように、クロスチューブ型熱交換器からなり、間隔ＰｆＲで積層された複数の背面側フィン１２Ｒを１本の背面側パイプ１３Ｒ（熱交換パイプ）が、往復を繰り返しつつ、貫通している。そして、背面側熱交換器１１Ｒでは、背面側パイプ１３Ｒ内を冷媒が循環し、各背面側フィン１２Ｒの間を空気が通過する際に、冷媒と空気との間で熱の授受が行われる。
なお、前面側熱交換器１１Ｆも背面側熱交換器１１Ｒと同様に、クロスチューブ型熱交換器によって構成され、間隔ＰｆＦで積層された複数の前面側フィン１２Ｆを１本の前面側パイプ１３Ｆ（熱交換パイプ）が、往復を繰り返しつつ、貫通している。前面側熱交換器１１Ｆと背面側熱交換器１１Ｒとの構造上の違いは、前面側フィン１２ＦはＬ字形状の薄片で構成され、背面側フィン１２Ｒは略長方形の薄片で構成されている点である。
また、本実施例では、前面側熱交換器１１Ｆのフィンの間隔ＰｆＦが、背面側熱交換器１１Ｒのフィンの間隔ＰｆＲよりも狭くなるように設定されている。そして、前面側熱交換器１１Ｆは、フィンの間隔ＰｆＦを狭めることで、積層方向の寸法が短くなった分、フィンの枚数が増えているため、伝熱面積が増加している。
【００１９】
図２、図３に示すように、背面側パイプ１３Ｒが背面側フィン１２Ｒを貫通する数について、背面側フィン１２Ｒの長手方向に貫通する数を段数とし、背面側フィン１２Ｒの短手方向（通風方向）に貫通する数を列数とする。
また、背面側パイプ１３Ｒが貫通する間隔について、背面側フィン１２Ｒの長手方向に沿った間隔を段ピッチＰｔＲとし、背面側フィン１２Ｒの短手方向に沿った間隔を列ピッチＰｃＲとする。
なお、本実施例では、前面側熱交換器１１Ｆと背面側熱交換器１１Ｒについて、段ピッチＰｔＦ、ＰｔＲと、列ピッチＰｃＦ、ＰｃＲ、および列数（３列）と短手方向の寸法ＬｃＦ、ＬｃＲのそれぞれが、同じになるように設定されている。
【００２０】
また、図２に示すように、背面側熱交換器１１Ｒの長手方向に沿った線を軸線Ｋ１と設定し、バックノーズ２３の先端から軸線Ｋ１に直交する線を直交線Ｋ２と設定する。
軸線Ｋ１と背面側熱交換器１１Ｒ上端との交点を上部交点Ｓ１と設定し、バックノーズ２３の先端から軸線Ｋ１に直交する直交線Ｋ２との交点を中部交点Ｓ２と設定し、軸線Ｋ１と背面側熱交換器１１Ｒ下端との交点を下部交点Ｓ３と設定する。
【００２１】
背面側熱交換器１１Ｒは、上部交点Ｓ１と中部交点Ｓ２との間の寸法である上側寸法Ｌ１が、下部交点Ｓ３と中部交点Ｓ２との間の寸法である下側寸法Ｌ２と同じか、短くなるように、背面側構造部４１に配置される。
上側寸法Ｌ１は、筐体１ａの高さ寸法と、筐体１ａ内における室内送風機２１の設置位置と、背面側熱交換器１１Ｒを設置する際の前傾角度とによってほぼ決まってしまう。そこで、上側寸法Ｌ１が下側寸法Ｌ２と同じか、短くなるようにするために、下側寸法Ｌ２の部位を下方に延長している。
つまり、バックノーズ２３の先端が、背面側熱交換器１１Ｒの断面視（図２参照）における長手方向（軸線Ｋ１方向）の寸法の１／２を超える位置まで伸びている。そして、従前の背面側熱交換器よりも下方に延長された分だけ、本実施例の背面側熱交換器１１Ｒは、伝熱面積が拡大している。
【００２２】
また、バックノーズ２３は、基端部から先端部にかけて、前後方向の寸法がほぼ一定に形成されている。そして、このことと、背面側熱交換器１１Ｒが前傾して配置されることで、背面側熱交換器１１Ｒとバックノーズ２３の背面側との間の間隔が、下方に行くに従って広がるように設定されている。
【００２３】
背面側熱交換器１１Ｒとバックノーズ２３の背面側との間の空間における、背面側熱交換器１１Ｒの下端部分には、背面側熱交換器１１Ｒからバックノーズ２３の基端部に向かって下降する傾斜面４２が形成されている。そして、傾斜面４２とバックノーズ２３の背面とでＶ溝４３が形成される。
Ｖ溝４３は、背面側熱交換器１１Ｒの排水溝として機能し、背面側フィン１２Ｒ上で凝縮した水は、Ｖ溝４３を通じて、室外へ排出される。
バックノーズ２３には、その背面から背面側熱交換器１１Ｒの下端部に向かって、送風方向である上下方向に沿ったリブ４４が立設されている。リブ４４は、略三角形形状を有し、リブ４４の下端部に位置するＶ溝４３の部位には、排水孔４５が貫通している。リブ４４は、室内機１の左右方向（幅方向）に沿って、所定の間隔で複数設置されている。
【００２４】
以上説明したように、背面側熱交換器１１Ｒの下側寸法Ｌ２の部位を延長し、上側寸法Ｌ１に対して、下側寸法Ｌ２が同じか長くなるように背面側熱交換器１１Ｒを延長し（バックノーズ２３の先端が、背面側熱交換器１１Ｒの断面視における長手方向（軸線Ｋ１方向）の寸法の１／２を超える位置まで伸び）つつ、背面側熱交換器１１Ｒとバックノーズ２３との間の間隔を、下方に行くに従って広げたことによって、通風抵抗を低減しつつ、通風流路が拡大されたため、室内機内の空気の流れが改善されて、背面側熱交換器１１Ｒを通過する空気の風量が増加する。これにより、室外熱交換器２３の本来持っている伝熱性能が十分に発揮され、冷凍サイクルの効率が改善されて、省エネルギー性を向上させることができる。
【００２５】
前面側熱交換器１１Ｆの前面側フィン１２Ｆの間隔を、背面側熱交換器１１Ｒの背面側フィン１２Ｒの間隔よりも狭くしつつ、前面側フィン１２Ｆの枚数を増やすことで、伝熱面積を拡大している。これにより、背面側熱交換器１１Ｒを通過する空気の風量が増えたことによって、前面側熱交換器１１Ｆを通過する空気の風量の相対的な減少による伝熱量の低下を抑制し、室内熱交換器１１全体での伝熱量を増加させることができる。
さらに、前面側熱交換器１１Ｆの前面側フィン１２Ｆの間隔を、背面側熱交換器１１Ｒの背面側フィン１２Ｒの間隔よりも狭くしたことで、前面側熱交換器１１Ｆの通風抵抗よりも、背面側熱交換器１１Ｒの通風抵抗が相対的に低下し、背面側熱交換器１１Ｒの通風量が増加する。これによって、従前では、前面側熱交換器１１Ｆに偏っていた通風バランスが改善されて、室内熱交換器１１全体での伝熱量が増加し、室内熱交換器１１全体として、伝熱性能を向上することができる。
【００２６】
また、リブ４４をバックノーズ２３の背面から背面側熱交換器１１Ｒの下端部に向かって、送風方向に沿って立設することで、背面側熱交換器１１Ｒを通過した空気が、リブ４４で整流されて、バックノーズ２３の上方へ送られ、室内送風機２１へ吸い込まれる。これにより、背面側熱交換器１１Ｒとバックノーズ２３の間の空間に滞留する空気が減少して、背面側熱交換器１１Ｒを通過する空気の通風抵抗がさらに低減され、背面側熱交換器１１Ｒを流れる風量がさらに増加する。
また、リブ４４をバックノーズ２３の背面に立設することで、バックノーズ２３が補強されて、前後方向（図２における左右方向）の撓みが抑制されることで、室内送風機２１が安定した送風を行うことができる。
【００２７】
次に、本発明の第２実施例について、図４を用いて詳細に説明する。図４は、第２実施例の冷房運転時における室内機を示す断面図である。なお、上記第１実施例と共通する構成については、同一の符号を付し、詳細な説明を省略する。
本実施例と上記第１実施例では、上記第１実施例における背面側熱交換器１１Ｒの上側寸法Ｌ１の部位の背面側に、１列２段のサブクーラ熱交換器１５が２つ設置されている点が異なる。
つまり、バックノーズ２３の先端よりも長手方向（軸線Ｋ１方向）の上方に位置する背面側熱交換器１１Ｒの部位（上側寸法Ｌ１の部位）における背面側パイプ１３Ｒの通風方向（直交線Ｋ２方向）に沿った本数が、バックノーズ２３の先端よりも長手方向の下方に位置する背面側熱交換器１１Ｒの部位（下側寸法Ｌ２の部位）における背面側パイプ１３Ｒの通風方向に沿った本数よりも多く設定されている。
【００２８】
このように、サブクーラ熱交換器１５が追加されたことによって、背面側熱交換器１１Ｒの上側寸法Ｌ１の部位における通風抵抗が増加し、背面側熱交換器１１Ｒの下側寸法Ｌ２の部位を流れる風量を増加させることができる。そして、背面側熱交換器１１Ｒの下側寸法Ｌ２の部位を流れる風量が増加することによって、通風バランスが、さらに改善されて、室内熱交換器１１全体での伝熱量が増加し、室内熱交換器１１全体として、伝熱性能を向上することができる。
また、サブクーラ熱交換器１５は、暖房運転時に、凝縮した液冷媒を沸点以下に冷却するサブクーラとして使用が可能である。このように冷媒を沸点以下とすることで、同じ暖房性能を出すために必要な、サイクル内での冷媒循環量を低減することができる。これによって圧力損失の低減や、冷媒循環量の低減によって圧縮機動力を低減することができ省エネ性を向上することができる。
【００２９】
次に、本発明の第３実施例について、図５を用いて詳細に説明する。図５は、第３実施例の冷房運転時における室内機を示す断面図である。なお、上記第１実施例と共通する構成については、同一の符号を付し、詳細な説明を省略する。
本実施例と上記第１実施例では、上記第１実施例の背面側熱交換器１１Ｒについて、上側寸法Ｌ１の部位における長手方向に沿った背面側パイプ１３Ｒの間隔（上側段ピッチＰｃＵ）が、下側寸法Ｌ２の部位における長手方向に沿った背面側パイプ１３Ｒの間隔（下側段ピッチＰｃＤ）よりも狭く設定されている点が異なる。
つまり、バックノーズ２３の先端よりも長手方向（軸線Ｋ１方向）の上方に位置する背面側熱交換器１１Ｒの部位（上側寸法Ｌ１の部位）における背面側パイプ１３Ｒの長手方向（軸線Ｋ１方向）に沿った方向の間隔が、バックノーズ２３の先端よりも長手方向の下方に位置する背面側熱交換器１１Ｒの部位（下側寸法Ｌ２の部位）における背面側パイプ１３Ｒの長手方向（軸線Ｋ１方向）に沿った方向の間隔よりも狭く設定されている。
【００３０】
このように、上側段ピッチＰｃＵを下側段ピッチＰｃＤよりも狭くしたことによって、背面側熱交換器１１Ｒの上側寸法Ｌ１の部位における通風抵抗が増加し、背面側熱交換器１１Ｒの下側寸法Ｌ２の部位を流れる風量を増加させることができる。そして、背面側熱交換器１１Ｒの下側寸法Ｌ２の部位を流れる風量が増加することによって、通風バランスが、さらに改善されて、室内熱交換器１１全体での伝熱量が増加し、室内熱交換器１１全体として、伝熱性能を向上することができる。
【００３１】
次に、本発明の第４実施例について、図６を用いて詳細に説明する。図６は、第４実施例の冷房運転時における室内機を示す断面図である。なお、上記第１実施例、第２実施例と共通する構成については、同一の符号を付し、詳細な説明を省略する。
本実施例と上記第１実施例では、前面側熱交換器１１Ｆに対して、背面側熱交換器１１Ｒの背面側フィン１２Ｒの短手方向の寸法を縮めて、背面側パイプ１３Ｒの列数を削減した点と、背面側熱交換器１１Ｒの上側寸法Ｌ１の部位の背面側に、サブクーラ熱交換器１５が設置されている点とが異なる。
また、列数を削減するにあたり、上記第１実施例の背面側熱交換器１１Ｒにおけるバックノーズ２３側の列を削減し、背面側熱交換器１１Ｒとバックノーズ２３の間の間隔をさらに拡げている。
つまり、前面側熱交換器１１Ｆの前面側パイプ１３Ｆの通風方向（直交線Ｋ２方向）に沿った本数が、背面側熱交換器１１Ｒの背面側パイプ１３Ｒの通風方向に沿った本数よりも多く設定されている。
【００３２】
このように、背面側熱交換器１１Ｒの列数を削減することで、背面側熱交換器１１Ｒの通風抵抗が低減し、背面側熱交換器１１Ｒを流れる風量が増加する。
また、背面側熱交換器１１Ｒとバックノーズ２３の間の間隔をさらに拡げたことによって、背面側熱交換器１１Ｒを通過する空気の通風抵抗がさらに低減され、背面側熱交換器１１Ｒを流れる風量がさらに増加する。
加えて、上記第２実施例で示したように、サブクーラ熱交換器１５を背面側熱交換器１１Ｒの上側寸法Ｌ１の部位に設置することで、さらに背面側熱交換器５の下側寸法Ｌ２の部位における風量がさらに増加する。
そして、背面側熱交換器１１Ｒを流れる風量が増加することによって、通風バランスが、さらに改善されて、室内熱交換器１１全体での伝熱量が増加し、室内熱交換器１１全体として、伝熱性能を向上することができる。
【符号の説明】
【００３３】
１  室内機
１ａ  筐体
１１  室内熱交換器
１１Ｆ  前面側熱交換器
１１Ｒ  背面側熱交換器
１２Ｆ  前面側フィン
１２Ｒ  背面側フィン
１３Ｆ  前面側パイプ
１３Ｒ  背面側パイプ
２１  貫流ファン
２２  フロントノーズ
２３  バックノーズ
４４  リブ
４５  排水孔
Ｌ１  上側寸法
Ｌ２  下側寸法
Ｋ１  軸線
Ｋ２  直交線
Ｓ１  上部交点
Ｓ２  中部交点
Ｓ３  下部交点
ＰｃＵ  間隔
ＰｃＤ  間隔
【図１】
0006614876.tif 000002
【図２】
0006614876.tif 000003
【図３】
0006614876.tif 000004
【図４】
0006614876.tif 000005
【図５】
0006614876.tif 000006
【図６】
0006614876.tif 000007